(57)【要約】  レーザは、ガラスセラミックのブロックから構成されたハウジングを有する。ブロックは、レーザ共振器内の光のための２次元の導波路としての役割を果たす１つ以上のチャネルを画定するように機械加工（又は他の方法で形成）される。チャネルは、レーザの光学部品、例えば、利得媒体、キャビティミラー、中間反射体等のうちの１つ以上を保持する、ブロック内にも形成されるキャビティ間に延在する。各キャビティの位置、形状、及びサイズは、各光学部品がキャビティの側面に対して光学的に整列して堅固に保持されるように、保有する光学部品に合わせて調整される。【選択図】  図４
2021501996.tif 000002
【特許請求の範囲】
【請求項１】
利得媒体と、複数の共振器ミラーと、前記利得媒体を励起するためのポンプ機構と、中空導波路とを備えるレーザであって、前記中空導波路は、前記利得媒体と前記複数の共振器ミラーのうちの少なくとも１つとの間で光を導くために、前記利得媒体と前記複数の共振器ミラーのうちの少なくとも１つとの間に配置され、前記中空導波路の断面寸法は、最低次モードを有するビームを優先的に選択する、レーザ。
【請求項２】
前記中空導波路は、少なくとも部分的に、単一の一体型ピース本体によって画定された１つ以上の導管によって少なくとも部分的に提供される、請求項１に記載のレーザ。
【請求項３】
前記単一の一体型ピース本体は、前記利得媒体と前記複数の共振器ミラーのうちの少なくとも１つとの間で光を導くための複数の中空導波路を提供する１つ以上の導管を画定する、請求項２に記載のレーザ。
【請求項４】
前記本体は、前記利得媒体と前記複数の共振器ミラーとの間にある複数の導波路を提供するための複数の導管を画定し、前記レーザは、前記導管の間に光を方向付けるための反射体を備える、請求項３に記載のレーザ。
【請求項５】
前記本体は、前記レーザの共振器内で前記光を操作する光学部品を保持するキャビティを画定する、請求項２、３又は４のいずれか一項に記載のレーザ。
【請求項６】
前記キャビティは、前記光学部品を光学的に整列して保持するように成形及びサイズ決定される、請求項５に記載のレーザ。
【請求項７】
前記本体は、前記利得媒体、複数の共振器ミラー、及び反射体のうちの１つ以上を保持するための１つ以上のキャビティを備える、請求項２〜６のいずれか一項に記載のレーザ。
【請求項８】
Ｑスイッチを備え、前記Ｑスイッチは、前記本体に設けられた前記中空導波路を通って進む光がそれに入射するように、前記本体によって設けられたさらなるキャビティ内に保持される、請求項２〜７のいずれか一項に記載のレーザ。
【請求項９】
前記導管又は前記本体によって画定されたさらなる導管は、前記レーザから出力されたレーザ光を導くための役割を果たす、請求項２〜８のいずれか一項に記載のレーザ。
【請求項１０】
光回路であって前記光回路の周りを進む光を導くための導波路を提供する中空導管を有する本体を備え、前記本体内の前記中空導管及び／又はさらなる導管のうちの１つ以上は、請求項２〜９のいずれか一項に記載の前記レーザのための前記中空導波路を提供する、光回路。
【請求項１１】
前記本体は、前記導管を提供するチャネルが形成されるモノリスを備える、請求項１０に記載の光回路。
【請求項１２】
利得媒体と、複数の共振器ミラーと、前記利得媒体を励起するためのポンプ機構と、導波路とを備えるレーザであって、前記導波路は、前記利得媒体間で前記複数の共振器ミラーのうちの少なくとも１つの方へと光を導くために、前記利得媒体と前記複数の共振器ミラーのうちの少なくとも１つとの間に配置され、前記レーザは、前記導波路を画定する導管を画定する本体と、前記利得媒体と前記複数の共振器ミラーとのうちの１つ以上が設置されるキャビティとを備える、レーザ。
【請求項１３】
前記本体は、前記導管の少なくとも一部を提供するチャネルを画定する第１のピースから構成される、請求項１２に記載のレーザ。
【請求項１４】
前記本体は、前記導管を提供するために前記第１のピースと協働する第２のピースから構成される、請求項１３に記載のレーザ。
【請求項１５】
前記第１及び第２のピースは、単一の一体型ピースである、請求項１３又は１４に記載のレーザ。
【請求項１６】
レーザを製造する方法であって、前記レーザは、
第１の単一の一体型ピース本体であって、
２つのキャビティと、
前記キャビティ間に延在する導管であって、前記導管は、前記レーザが使用中であるとき、前記キャビティ間の光のための導波路としての役割を果たす、導管と
の各々のうちの少なくとも一部分を画定する、第１の単一の一体型ピース本体
を提供することを備え、
前記方法は、前記２つのキャビティのうちの１つに前記レーザの第１の光学部品を位置付け、および前記２つのキャビティのうちの第２のものに前記レーザのさらなる光学部品を位置付けることを備える、
方法。
【請求項１７】
前記第１の単一の一体型ピース本体は、機械加工プロセス及び／又は付加製造プロセスを使用して製造される、請求項１６に記載の方法。
【請求項１８】
前記第１の単一の一体型ピースを第２の単一の一体型ピースと接合することを備え、前記第１及び第２の一体型ピースは、前記レーザが使用されるときに、光軸の各側の２つの直交平面の周りにレーザ光を閉じ込める導波路としての役割を果たす導管を画定するように協働する、請求項１６又は１７に記載の方法。
【請求項１９】
前記第２の一体型ピースは、前記キャビティの少なくとも１つの側面を画定する、請求項１８に記載の方法。
【請求項２０】
前記キャビティは、前記光学部品を光学的に整列して支持及び保持するように位置決め及び成形される、請求項１６〜１９のいずれか一項に記載の方法。
【請求項２１】
前記光学部品は、前記キャビティの壁に対して直接保持される、請求項２０に記載の方法。
【請求項２２】
前記２つのキャビティのうちの１つに前記レーザの共振器の第１の端部を提供する第１のミラーを位置付けることと、前記２つのキャビティのうちの第２のものに前記レーザの前記共振器の第２の端部を提供する第２のミラーを位置付けることとを備える、請求項１７〜２１のいずれか一項に記載の方法。
【請求項２３】
光回路を製造する方法であって、請求項１６〜２２のいずれか一項に記載の前記方法に加えて、前記回路が動作しているときに、前記レーザから出力された光を操作するさらなる光学部品を前記単一の一体型ピースのさらなるキャビティ内に位置付けることを備える、方法。
【発明の詳細な説明】
【技術分野】
【０００１】
本発明は、レーザの新規な設計に関する。
【０００２】
米国特許第５４１２６８１（Ａ）号は、２つの平行な長方形のフラットな離間した電極を含むスラブ導波路ＣＯ２レーザに関し、その表面は、レーザガスを励起し、スラブ電極の表面に垂直な平面内でレーザ光を導く。
【背景技術】
【０００３】
以下の刊行物は、モノブロックで形成された中空導波路を使用して光が導かれる光回路を開示する：Jenkins, R. M. , Perrett, B. J. , McNie, M. E. , Finlayson, E. D. , Davies, R. R. , Banerji, J. and Davies, A. R. , “Hollow optical waveguide devices and systems,” Proc. SPIE 7113, 71130E (2008); 及びIan F Elder, Daniel H. Thorne, Robert A Lamb and R Mike Jenkins, Mid-IR laser source using hollow waveguide beam combining, Proc SPIE 972601, 2016
【０００４】
米国特許出願公開第２００７／００４１４１８号は、ＢｅＯの２つの層の間に形成された導波路を有するスラブＣＯ２レーザを記載している。この導波路は２つの目的を有している。第１に、その「Ｚ」形状が、レーザの物理的長さをより短くすることを可能にする。第２に、従来のスラブレーザと比較して導波路の断面積が比較的小さいことが、壁への熱伝達を改善し、より低温で放電を実施することを可能にする  [段落２６］。
【発明の概要】
【０００５】
本発明の一態様によれば、利得媒体と、複数の共振器ミラーと、利得媒体を活性化させるためのポンプ機構と、中空導波路とを備えるレーザが提供され、中空導波路は、媒体から複数の共振器ミラーのうちの少なくとも１つにレーザ光を導くために、利得媒体と複数の共振器ミラーのうちの少なくとも１つとの間に配置される。
【０００６】
導波路は、好ましくは、光軸の各側の２つの直交平面（例えば、垂直平面及び水平平面）の周りにレーザ光を閉じ込める。したがって、導波路は、実質的に封止されていてもよく、すなわち、光軸を横断する平面を通るように実質的に閉じられた断面形状を有する。
【０００７】
導波路は、空き領域又はライトパイプを通して共振器内で光を伝搬することと比較して、より高い品質の出力ビームを提供するように、高次モードを抑制することによって最低次モード（ＴＥＭ００）を優先的に選択するようレーザの動作波長に従って選択され得る（例えば、断面寸法を有する）。
【０００８】
光軸に沿って見たときの導波路の断面形状は、任意の好適な形状であってよく、非限定的な例としては、円形、正方形、及び長方形が挙げられる。
【０００９】
レーザは、レーザの共振器内の光学部品（例えば、ミラー、プリズム、偏光子、位相板）間を導く複数の中空導波路を備え得る。複数の中空導波路は、複数の共振器ミラー間の光の蛇行経路を提供するために、共振器キャビティ内の反射体（例えば、プリズム及び／又はミラー）間に延在してもよい。
【００１０】
蛇行経路は、レーザの全体的な物理的長さ（フットプリント）を最小化しながら、比較的長い共振器長を可能にする。
【００１１】
長い共振器長は、低いフレネル数及びその後の良好な出力ビーム品質を保証する長い光路を提供し、すなわち、ビームのエネルギー（パワー）は、少なくとも主に最低次モードにある。
【００１２】
加えて、長い共振器長は、例えばＱスイッチングなどのパルス化手段と共に使用されるとき、例えば１５ｎｓ〜２２ｎｓ程度の比較的長いパルス持続時間を提供するために使用され得る。
【００１３】
中空導波路は、共振器ミラーによって一端で閉じられ得る。それは、第２の共振器ミラーによって他端で部分的に又は完全に閉じられ得る。
【００１４】
中空導波路は、本体内に形成された導管によって少なくとも部分的に画定され得る。本体は実質的に中実（solid）であってもよい。本体は、ブロック形態、例えばモノブロックであってもよい。
【００１５】
本体は、共振器内で光を導く複数の中空導波路を提供する１つ以上の導管（例えば、中実体内に形成される）を画定し得る。加えて又は代替として、本体は、複数の導波路を提供する複数の導管を画定し得る。本体は、共振器内で光を操作する（例えば、増幅、反射、分割、集束、分散、位相シフトのうちの１つ以上）光学部品を保持するキャビティを画定し得る。導波路を画定し、個々のキャビティ内に光学部品を支持する中実体の使用は、中空容器内に光学部品を支持するために複数のマウントを使用する従来のレーザ設計の使用と比較して、より大きい機械的剛性を提供する。
【００１６】
キャビティは、所望の光学的アライメントを提供する位置に光学部品を支持及び保持するように位置決め及び成形され得る。これは、光学的機械的マウント及び手動調整又はアライメントの必要性を回避する。好ましくは、光学部品は、精密にミリングされた嵌合によってキャビティ壁に対して保持される。
【００１７】
本体は、複数の共振器ミラーのうちの少なくとも１つを保持するためのキャビティを画定することができる。
【００１８】
好ましくは、本体は、レーザの複数の光学部品を保持するための多数のキャビティを備え、例えば、本体は、共振器ミラーを保持するように各々配置された２つのキャビティを備え得る。最も好ましくは、本体は、レーザの光学部品の全てを支持及び保持するためのキャビティを備える。
【００１９】
例示的な光学部品は、ミラー、プリズム、Ｑスイッチ、位相シフタ、リターダ、偏光子、波長板及びレンズのうちの１つ以上を含む。
【００２０】
導管は、それらのキャビティ内に保持された光学部品間で光を導くために、キャビティ間に延在し得る。
【００２１】
本体は、導管及び少なくとも１つのキャビティを少なくとも部分的に画定する単一の一体型ピースを備え得る。
【００２２】
本体は、１つ以上の導管及び／又は凹部を画定するように協働する第１及び第２のピースを備え得る。第１のピースは、チャネルを備える、例えば画定することができる。第２のピースは、導波路を画定するように、導管の１つ以上の側面を提供し得、例えば、フラットな側面で例えば第１のピースのチャネルの開放側を閉じるか、又は第１のピースのチャネルと協働する第２のチャネルを備えてもよい。
【００２３】
第１のピースは、単一の一体型ピースであり得る。第２のピースは、単一の一体型ピースであり得る。あるいは、本体は、１つ以上の導管が形成される単一の一体型ピースとして形成され得る。
【００２４】
導管及び／又はキャビティは、適切な製造プロセスを使用して形成され得る。非限定的な例としては、ブロックのコンピュータ数値制御（ＣＮＣ）ミリング、及び／又は付加製造が挙げられる。
【００２５】
導管が単一の一体型ピース本体内に画定される配置では、付加製造がより好適な製造プロセスであり得る。その後、光学部品は、本体の残りの部分がそれらを保持するように光学部品の周囲に形成される前に、製造中に部分的に形成された本体に挿入され得る。
【００２６】
本体は、ガラス、ガラスセラミック、及び／又は他のセラミック材料から作製されてもよく、非限定的な例としては、Ｍａｃｏｒ（登録商標）、ＡｌＳｉ、及びＳｉＮ、又は金属、例えば銅及び／又は金が挙げられる。本体は、銅及び／又は金でコーティングされた金属コーティング、例えばＭａｃｏｒ（登録商標）を有する基材（例えば非金属）を備え得る。選択される材料の選択は、レーザの意図される用途のための本体の必要とされる機械的剛性及び脆性破壊、及び／又はレーザの動作波長に基づき得る。金属又は金属被覆基板からなる本体は、（非金属本体と比較して）導波路に沿った伝搬のための光の損失を低減させることができる。選択される金属は、レーザの意図される動作波長に依存する。
【００２７】
中空導波路は、最も好ましくは、光が共振器内の空き領域中で伝搬しないように、実質的に、利得媒体と共振器ミラーとの間の光路全体を提供することができる。
【００２８】
導波路の断面幅（光軸を横断する平面）は、当技術分野で周知の設計原理を使用して、レーザの動作波長に基づいて選択される。
【００２９】
利得媒体は、任意の既知の形態であってもよいが、固体又は静的形態は、それらが自己完結型であり、したがって、本体のキャビティ内に保持されるのに役立つため、好ましい場合がある。利得媒体の例は、約１０６４ｎｍの波長で動作するレーザに使用されるＮｄ：ＹＡＧである。
【００３０】
利得媒体は、本体に取り付けられ得る。例えば、利得媒体は、複数の導波路のうちの１つ以上を提供する、本体の導管内に取り付けられてもよい。
【００３１】
本体は、利得媒体と共振器ミラーとの間にある複数の中空導波路を提供するための複数の導管を有し、好ましくは画定し、レーザは、導管の間に光を方向付けるための１つ以上の反射体を備える。これにより、複数の共振器ミラー間の光路が蛇行形態をとるが可能となる。この配置は、蛇行する光路を提供するためにコイル状ファイバを使用することに関連する損失を回避する。
【００３２】
反射体は、導管の間に光を方向付けるためのプリズム及び／又は反射鏡を備え得る。反射体は、本体内のキャビティ内に保持され得る。
【００３３】
本体は、レーザの共振器から出力されるレーザ光のための導波路又は他の経路を提供する導管を画定し得る。
【００３４】
本体は、レーザの共振器から出力されるレーザ光を操作する、光回路の１つ以上の追加の光学部品を保持するための１つ以上のキャビティを画定し得る。本体の１つ以上の導管（又は本体によって画定されたさらなる導管）は、レーザの共振器から出力された光を光回路の追加の光学部品に／それらの間に導くための１つ以上の導波路を提供し得る。したがって、レーザは、集積光回路の一部を形成し得る。
【００３５】
１つの非限定的な例では、光回路は、様々な前述の設計の複数の中空導波路レーザの出力を組み合わせる結合器を提供し得る。
【００３６】
本発明は、ＩＲ動作レーザのために考案されたが、本発明の概念は、可視、ＭＷＩＲ及びＬＷＩＲを含むがこれらに限定されない他の波長で動作するレーザに適用されてもよい。
【００３７】
別の態様では、光回路の周りを進む光を導くための導波路を提供する中空導管を画定する本体を備える光回路が提供され、本体内の中空導管及び／又はさらなる中空導管のうちの１つ以上は、上記で様々に説明したレーザの導波路を提供する。
【００３８】
本発明の別の態様によれば、利得媒体と、複数の共振器ミラーと、利得媒体を励起するためのポンプ機構と、導波路とを備えるレーザが提供され、導波路は、利得媒体間で複数の共振器ミラーのうちの少なくとも１つの方へと光を導くために、利得媒体と複数の共振器ミラーのうちの少なくとも１つとの間に配置され、レーザは、導波路を画定する導管を画定する本体と、利得媒体と複数の共振器ミラーとのうちの１つ以上が設置される凹部とを備える。
【００３９】
本発明は、方法に関しても説明され得、したがって、本発明の別の態様によれば、２つのキャビティと、キャビティ間に延在する導管であって、導管は、レーザが使用中であるとき、キャビティ間の光のための導波路としての役割を果たす、導管と、の各々のうちの少なくとも一部分を画定する第１の単一の一体型ピース本体を提供することを備えるレーザを製造する方法が提供され、方法は、２つのキャビティのうちの１つにレーザの第１の光学部品を位置付けし、２つのキャビティのうちの第２のものにレーザのさらなる光学部品を位置付けることによってレーザを構成する光学部品を配置することを備える。
【００４０】
第１の単一の一体型ピース本体は、機械加工プロセス及び／又は付加製造プロセスを使用して製造され得る。
【００４１】
本方法は、第１の単一の一体型ピースを第２の単一の一体型ピースと接合することを含み得、第１及び第２の一体型ピースは、レーザが使用されているときに、光軸の各側の２つの直交平面の周りにレーザ光を閉じ込める導波路としての役割を果たす導管を画定するために協働する。第２の一体型ピースは、キャビティの側面を画定し得る。
【００４２】
キャビティは、好ましくは、光学部品を光学的に整列して支持及び保持するように位置決め及び成形される。光学部品は、キャビティの壁に対して直接保持されてもよい。
【００４３】
方法は、２つのキャビティのうちの１つにレーザの共振器の第１の端部を提供する第１のミラーを位置付けることと、２つのキャビティのうちの第２のキャビティにレーザの共振器の第２の端部を提供する第２のミラーを位置付けることとを備え得る。
【００４４】
別の態様では、上で様々に説明したレーザを製造する方法に加えて、回路が動作しているときに、レーザの共振器から出力されたレーザ光を操作するさらなる光学部品を単一の一体型ピースのさらなるキャビティ内に位置付けることを備える、光回路を製造する方法が提供される。
【図面の簡単な説明】
【００４５】
ここで、図面を参照して本発明を説明する。
【図１】図１は、蓋なしの状態で示された中空導波路を備える、レーザの平面概略図である。
【図２】図２は、蓋付きの状態で示された図１のレーザの側面概略断面図である。
【図３】図３は、光軸に沿って見た、蓋付きの状態で示された図１のレーザの端部概略断面図である。
【図４】図４は、光学レイアウトを示すための、蓋がない状態のレーザの第２の実施形態の斜視図である。
【図５】図５は、蓋付きの状態で示された図４のレーザの斜視図である。
【図６】図６は、複数の中空導波路レーザ及びビーム結合器を備える光回路の概略図であり、レーザ及び結合器回路は、単一の本体に統合される。
【発明を実施するための形態】
【００４６】
図１〜図３は、第１の端部共振器ミラー３と第２の端部共振器ミラー４との間に配置されたレーザ利得媒体２を有するレーザ１を図示しており、後者は、それら共振器ミラー３、４の間に形成されるレーザ１の共振器からの出力を提供するように、部分的に反射性である。レーザ１は、利得媒体２と第１の端部共振器ミラー３との間で光を導く第１の中空導波路５と、利得媒体２から第２の端部共振器ミラー４に光を導く第２の中空導波路６と、レーザ１の出力ポートを提供するために出力ミラー４を透過した光を導く第３の中空導波路７とをさらに備える。レーザ利得媒体２は、ポンプ機構８によって励起される。
【００４７】
レーザ１は、例えば、Ｍａｃｏｒ又は他の適切な材料の単一の一体型固体ピース（モノブロック）から形成されたシャーシ９を備える。モノブロックは、第１、第２、及び第３の導波路５、６、７の３つの側面を提供する中空チャネルと、ミラー３及び４並びにポンプ機構８を保持するための凹部とを画定するために、例えばＣＮＣプロセスを使用してミリングされる。チャネルの一部はまた、レーザ利得媒体２を保持するための役割を果たす（に設置される）。レーザ１は、矩形断面の導波路５、６、及び７（図３参照）を提供するチャネルを閉じるために、共振器内の光の光軸Ｘ−Ｘの周りを囲むように、シャーシ９に対向して位置するように配置されるモノブロックとしても形成された蓋１０を備える。
【００４８】
蓋１０は、チャネルの一部を提供するために、シャーシ９のチャネル及び凹部に対応するチャネル及び／又は凹部を提供するような外形を有し得る。
【００４９】
チャネルは、他の断面形状を有してもよい。
【００５０】
チャネルの幅及び長さの寸法は、フレネル数が、主にＴＥＭ００である出力ビーム、すなわち、多くの用途にとって好ましいビーム特性である最低モードと釣り合うように選択される。
【００５１】
凹部は、好ましくは、光学部品が所望の光学的に整列して堅固に（すなわち、遊びなく）保持されるように成形され、サイズ決定され、位置決めされる。それにもかかわらず、あまり好ましくはないが、凹部は、部品を手動で整列することを可能にするために光学部品を凹部内で移動させることを可能にするアライメント手段をさらに保持するように適合され得る。
【００５２】
ポンプ機構は、選択された利得媒体と共に使用するのに適した任意の既知の形態であってもよい。
【００５３】
図４は、光学レイアウトが見えるように蓋なしの状態で示された中空導波路レーザ１０の変形実施形態である。レーザ１０は、第１の端部共振器ミラー１３と第２の端部共振器ミラー１４との間に光学的に配置されたレーザ利得結晶１２、レーザ利得結晶１２を励起するためのポンプ機構１５、第１の反射プリズム１６、第２のプリズム１７、第１の対の整合楔形プリズム（リズレープリズムとしても知られる）１８、第２の対の整合楔形プリズム１９、偏光ビームスプリッタ２０、Ｑスイッチ２１、１／２波長板又は１／４波長板２２、及び１／４波長板２３を備える。
【００５４】
中空導波路は、共振器ミラー１３と１４との間に延在する蛇行光路を提供するために、（ポンプ１５を除く）上記の光学部品の各々の間に延在する。
【００５５】
レーザ１０は、シャーシ２４及び蓋２５（図５参照）を備え、各々が、例えばＭａｃｏｒ（登録商標）などのガラスセラミックのモノブロックとして形成される（ただし、ガラスセラミック以外の材料が使用されてもよい）。シャーシ２４は、共振器ミラー１３、１４、プリズム１６、１７、ビームスプリッタ２０、Ｑスイッチ２１、及びプレート２３、２３が光路と光学的に整列して設置され保持される凹部及び中空導波路の部分を画定するチャネルを提供するようにミリングされる。この実施形態では、レーザ利得結晶１２は、シャーシ２４に設けられた切り欠き内に位置決めされるが、代わりにシャーシ２４を通るチャネル内に保持されてもよい。シャーシ２４は、ビームスプリッタ２０からのレーザ１０の出力ポートを提供するブロードチャネル２６も備える。
【００５６】
第１のプリズム１６又は第２のプリズム１７のいずれかに入る光は、３往復その間を反射され（より多くても少なくてもよいが）、毎回別個の中空導波路を通って進む。蛇行する光路は、物理的に短いフットプリントを有するレーザ内に長い共振器長を収容することを可能にする。
【００５７】
楔形プリズム１８、１９、プレート２２、２３、Ｑスイッチ２１、ビームスプリッタ２０の機能は周知であるため、これ以上詳細には説明しない。これらの構成要素の各々は任意であることが理解されよう。
【００５８】
好ましくはないが、複数の共振器ミラー間の光路の一部は、例えば、利得媒体と中空導波路との間のギャップの結果として、空き領域を通って延在し得る。
【００５９】
図５に示すように、蓋２５は、光学部品が延在することができる貫通孔を備え得る。これは任意である。代替の構成では、蓋は、構成要素を完全に収容することができる。
【００６０】
図６は、ビーム結合器として機能する光回路３０の概略図である。回路３０は、２つの中空導波路レーザ３１、３２を備え、その両方が、単一の一体型ピース（例えば、モノブロック）によって提供されるシャーシ３３上に形成される。導波路を提供し、かつ中空導波路レーザ３１、３２の光学部品を保持するために使用されるチャネル及び凹部に加えて、シャーシ３３は、蓋（図示せず）とともに、レーザ出力（ＴＥＭ００より高いモードの伝搬を抑制するように形成されなくてもよい）をそれぞれのレーザ３１、３２からビーム結合器構成要素３６へと導く、封止された中空導波路３４、３５を提供する、さらなるチャネルを画定する。ビーム結合器３６からの結合された出力は、単一のビーム軸上の中空導波路３７（これもシャーシ３３内に形成されたチャネルによって提供される）内に含まれる。ビーム結合器３６の形態は、レーザ３１、３２からの出力の波長が同じであるか異なるかに依存する。いずれにしても、ビーム結合器の形態は、当業者にとって従来通りである。変形実施形態では、２個以上のレーザがシャーシ２２上に形成され得ることが理解されよう。
【００６１】
代替の光回路は、追加の又は代替の機能を提供するように配置され得ることが理解されよう。例えば、ＬＩＤＡＲシステムの光回路を提供するために、集積レーザを含む集積光回路が使用され得る。
【００６２】
上記の実施形態は、線形共振器を図示しているが、本体の導管は、リング共振器を提供するために同様に配置されてもよい。
【００６３】
あまり好ましくはないが、ブロック形態ではなく、シャーシはプレート状であってもよく、プレート材料は、幅及び長さにわたってほぼ等しい厚さを有し、形状が真空成形ピースに似ているような導管及び凹部を画定するような外形を有する。
【図１】
2021501996.tif 000003
【図２】
2021501996.tif 000004
【図３】
2021501996.tif 000005
【図４】
2021501996.tif 000006
【図５】
2021501996.tif 000007
【図６】
2021501996.tif 000008
【国際調査報告】
2021501996.tif 000009
2021501996.tif 000010